(57)【要約】      （修正有）【課題】家庭菜園に使われている従来のミニハウスに改良を加え、簡便でより堅牢なハウスを提供する。【解決手段】トンネル支柱１を半円形のかまぼこ型の固定枠とする。（Ａ−Ｂ）に水平横渡し部分２により一体化させる。ハウス覆いは、ポリカーボネイト等弾力性のある板材を用い、トンネル支柱の内側に装着する。水平横渡し部分には、ハウス覆いが外側から受ける力のストッパー３，３を設ける。ハウス覆いが装着された後の両端にはサイドキャップを装着する。【選択図】図１
2006262707.tif 000002
【特許請求の範囲】
【請求項１】
従来のミニハウス（逆Ｕ字型の支柱に、ビニールの「覆い」を被せたもの）について、
改良を加えるものである。樹脂又は金属により、ミニハウスの骨格となる逆Ｕ字型の
支柱に、土中に刺し込む部分の直近箇所（図１Ａ・Ｂ）へ、水平横渡し部分（両脇に
ストッパー部を確保）を取り付けて一体化させ、これをカマボコ型トンネル支柱とし
（図1）、そこへ「ハウス覆い」として、ポリカーボネート等、弾力性のある半透明等
の平板によりこれを曲げ、トンネル支柱の内側（図２）に装着する。なお、水平横渡
し部分（Ａ―Ｂ）は、別付けでもよい。
【請求項２】
ミニハウスの両端には、空気調整のための通気部を設けた「サイドキャップ」を作製し（図３）、これを装着する。なお、各装置の連結は、「連結孔」、「接続棒」による。
【発明の詳細な説明】
【技術分野】
【０００１】
本発明は、家庭菜園に使われている従来のミニハウスについて改良を加えるもので、設
置が簡便で、より堅牢なハウスの製作に関するものである。
【０００２】
「トンネル支柱」は、半円形のカマボコ型の「固定枠」とする。（図１）
【０００３】
「ハウス覆い」の素材は、ポリカーボネイト等弾力性のある板材を用い、これを曲げて「トンネル支柱」の内側に装着する。（図２）
【０００４】
ミニハウスの両端は、蓋状又は板状の型により、これを「サイドキャップ」として
作製し、装着する。また、「ハウス覆い」と「サイドキャップ」、「ハウス覆い」と「ハ
ウス覆い」の接続は、「連結孔」を設けそこへ「接続棒」を差し込むことにより繋げる。
（図２・３・４）
【背景技術】
【０００５】
ハウスの覆いを「ビニール製」から「ポリカーボネート等弾力性のある素材」に変
えることにより、ミニハウスの強度が格段に高まり、安定感も生まれる。また、装置
の組み立て・取り外しが容易で、かつ、収納スペースが少なくて済む。
【０００６】
「ハウス覆い」には、弾力素材を用いるため、内側からの反発力による型崩れを防
ぐため、従来のトンネル支柱（棒状のものを曲げただけのもの）に水平横渡し部分（Ａ
―Ｂ）を加え、一体化させ、カマボコ型の特製トンネル支柱とする。なお、外側から
の力に対する「おさえ」として、「横渡し部分」の両端に「ストッパー」を付ける。図
1
【特許文献１】特開平６―２０９６５７
【発明の開示】
【発明が解決しようとする課題】
【０００７】
従来のものは、逆Ｕ字型のトンネル支柱のその両端を、地中に埋め、これを数箇所
設置したところへビニール等で上から全体を覆うものであるが、この方法だと、ビニ
ール等を覆う作業に時間と手間を要し、かつ、設置後、強風や降雪等により型崩れが
起きやすく、栽培中の作物等に被害を及ぼすことがある。
【０００８】
このことから、「ハウスの覆い」は、ビニール等の素材に代わり、硬質で弾力性のあ
る透明・半透明等の素材を用いることが効果的であり、トンネル支柱の内側に丈夫で
弾力性のある素材を装着することで、より丈夫で安定感が生まれる。
【０００９】
この方法によれば、低温、降雪、強風、降霜、降雹等による被害を最小限に防ぐこ
とができ、保温性が増すため、寒冷な気候からの作物被害を抑えることができ、作物
の生育によい結果をもたらす。また、温暖でないと生育しない作物の栽培も可能にな
る。
【００１０】
安定したトンネル支柱とするため、従来の支柱棒（逆Ｕ字型のもの）の形状に地中
に埋まる部分の手前に（Ａ−Ｂ）の水平横渡し部分を加え、一体性のあるカマボコ型
の枠とする。内側に弾力性のある平板素材を装着するため、（Ａ−Ｂ）を加えることで、
安定性のある支柱となる。
【００１１】
「ハウス覆い」として強固な平板（ポリカーボネート板等）を内側からトンネル支
柱に装着することにより、「ハウス覆い」と「支柱」に一体性が生まれ、従来の方式よ
り格段に強固で安定したミニハウスとなる。
【００１２】
「トンネル支柱」と「ハウス覆い」が一体化された後の「両端の覆い」として、キ
ャップ型又は平板型の「サイドキャップ」を着装する。なお、空気調整のため通気部
を設ける。図３
【００１３】
「ハウス覆い」と「サイドキャップ」との結合、「ハウス覆い」の連続繋ぎは接続孔
への接続棒を差し込むことにより行う。図４
【００１４】
本件は、トンネル支柱、ハウス覆い板、サイドキャップ等、その素材は、樹脂・金
属等を用い新たに金型をつくり製品化してゆくことになるが、製品化に開発経費を要
すること、また、需要度、市場開拓の見通し等が不明であるので、投資効果を十分検
討し進める必要がある。
【課題を解決するための手段】
【００１５】
製品化するまでの手段としては、いくつかの方法が考えられるが、そのうち、開発
のための経費を最小に抑えるためには、現在一般に市場に出回っている材料・材質を
代用することにより、製品化することも可能である。
【発明の効果】
【００１６】
最近、家庭菜園を楽しむ人が増えている。種まきから収穫までには、人それぞれの
やり方、工夫により「根もの」、「葉もの」等の成長と収穫を楽しみにしているが、栽
培の過程において、思わぬ障害により期待に添った作物ができず、がっかりする事が
ある。たとえば、（1）気象の変動等により、苗が順調に育たない、（2）種子を蒔いた
ばかりの床が家庭のペットや鳥獣に掘り返されてしまう、（3）病害虫の発生等がある。
【００１７】
また、栽培にあたって、（1）温暖でないと生育困難の野菜等の栽培、（2）降雪を避
けた越冬栽培、（3）育苗床としての利用等、ミニハウスは用途が限りなく広がる。
【００１８】
今までのミニハウスよりも、（1）丈夫であること、（2）設置・収納が容易であるこ
と、（3）保温性があること、（4）毎年繰り返し利用できること、（5）トンネル支柱の
形状や大きさを変えることにより、用途の多様性が図られる等メリットが大きい。
【発明を実施するための最良の形態】
【００１９】
トンネル支柱の形状は、従来の逆Ｕ字型に水平部分（ＡＢ）を加えたものとし、支
柱の補強とハウス覆いの安定性を図る一体型とする。
【００２０】
トンネル支柱は、樹脂、金属製等とし、できるだけハウス覆いと密着する形状とし、
安定性を保もたせるために、「一定の厚み」を持ったものとする。
【００２１】
トンネル支柱のうち水平部分（ＡＢ）の両端に、ストッパーをつけ、ハウス覆いの
外部からの圧力を止める。図1
【００２２】
トンネル支柱の（ＡＣ）、（ＢＤ）の部分は、地中へ埋める部分であり、上から押
して土に埋めやすい形状とする。
【００２３】
サイドキャップには、「通気部」を設ける。また、「接続孔」をつけ、接続棒により
地中へ差し込み安定させる。また、開発経費等を安価にするため、キャップの代わっ
て平板を用いこともできる。図３
【００２４】
「ハウス覆い」としての平板には、「サイドキャップ」等と接続できるようにするた
め２か所に接続孔をつける。図２
【産業上の利用可能性】
【００２５】
用途の範囲は、家庭菜園にとどまらず専業農家へも拡大が可能である。
【図面の簡単な説明】
【００２６】
【図１】トンネル支柱断面図
【図２】ミニハウス覆い板平面図・平板装着断面図・接続棒立体図
【図３】サイドキャップ立面図
【図４】「ハウス覆い」と「サイドカバー」の取付け図
【図５】ミニハウス鳥瞰図
【符号の説明】
【００２７】
１トンネル支柱
２水平横渡し部分
３ストッパー
4接続棒
5ミニハウス覆い
6接続孔
7サイドキャップ
8通気部
9接続孔
10ミニハウス覆い
11サイドキャップ
12接続孔
【図１】
2006262707.tif 000003
【図２】
2006262707.tif 000004
【図３】
2006262707.tif 000005
【図４】
2006262707.tif 000006
【図５】
2006262707.tif 000007